【手続補正書】
【提出日】平成19年2月23日(2007.2.23)
【手続補正１】
【補正対象書類名】明細書
【補正対象項目名】発明の名称
【補正方法】変更
【補正の内容】
【発明の名称】情報処理装置および方法、並びに記録媒体
【手続補正２】
【補正対象書類名】明細書
【補正対象項目名】特許請求の範囲
【補正方法】変更
【補正の内容】
【特許請求の範囲】
【請求項１】
属性情報として日時情報および重要度を有するキーワードを含むデータベースの中から、テキスト情報に含まれる重要語に対応する前記キーワードを検索する情報処理装置において、
テキスト情報の中から重要語を検出する検出手段と、
前記検出手段が検出した前記重要語に対応する前記キーワードを前記データベースの中から抽出する抽出手段と、
前記抽出手段が抽出した前記キーワードのうち、前記テキスト情報の日時情報を基点とした第１の期間内における前記重要度が、第１の閾値よりも低いものを選択する選択手段と、
前記選択手段が選択した前記キーワードのうち、前記テキスト情報の日時情報を基点とした第２の期間内において、２回以上前記重要度が第２の閾値よりも高いものを選抜する第１選抜手段と
を含むことを特徴とする情報処理装置。
【請求項２】
前記第１選抜手段が選抜した前記キーワードが有する前記属性情報を用いて、前記キーワードが選抜された理由を示す理由情報を生成する生成手段と、
前記生成手段が生成した前記理由情報の表示タイミングを制御する表示制御手段と
をさらに含むことを特徴とする請求項１に記載の情報処理装置。
【請求項３】
前記データベースは、前記キーワードに関連情報を対応付けて構築されており、
前記第１選抜手段が選抜した前記キーワードに対応する前記関連情報を前記データベースの中から取得する取得手段を
さらに含むことを特徴とする請求項１に記載の情報処理装置。
【請求項４】
前記第１選抜手段が選抜した前記キーワードのうち、有する前記属性情報の前記日時情報が示す最新の日時と最古の日時の差が所定の期間以上開いているものを選抜する第２選抜手段をさらに含み、
前記取得手段は、前記第２選抜手段が選抜した前記キーワードに対応する前記関連情報を前記データベースの中から取得する
ことを特徴とする請求項３に記載の情報処理装置。
【請求項５】
前記検出手段は、送信または受信された電子メールを前記テキスト情報として、前記電子メールの中から重要語を検出する
ことを特徴とする請求項１に記載の情報処理装置。
【請求項６】
属性情報として日時情報および重要度を有するキーワードを含むデータベースの中から、テキスト情報に含まれる重要語に対応する前記キーワードを検索する情報処理装置の情報処理方法において、
テキスト情報の中から重要語を検出する検出ステップと、
前記検出ステップの処理で検出された前記重要語に対応する前記キーワードを前記データベースの中から抽出する抽出ステップと、
前記抽出ステップの処理で抽出された前記キーワードのうち、前記テキスト情報の日時情報を基点とした第１の期間内における前記重要度が、第１の閾値よりも低いものを選択する選択ステップと、
前記選択ステップの処理で選択された前記キーワードのうち、前記テキスト情報の日時情報を基点とした第２の期間内において、２回以上前記重要度が第２の閾値よりも高いものを選抜する第１選抜ステップと
を含むことを特徴とする情報処理方法。
【請求項７】
前記第１選抜ステップの処理で選抜された前記キーワードが有する前記属性情報を用いて、前記キーワードが選抜された理由を示す理由情報を生成する生成ステップと、
前記生成ステップの処理で生成された前記理由情報の表示タイミングを制御する表示制御ステップと
をさらに含むことを特徴とする請求項６に記載の情報処理方法。
【請求項８】
前記データベースは、前記キーワードに関連情報を対応付けて構築されており、
前記第１選抜ステップの処理で選抜された前記キーワードに対応する前記関連情報を前記データベースの中から取得する取得ステップを
さらに含むことを特徴とする請求項６に記載の情報処理方法。
【請求項９】
前記第１選抜ステップの処理で選抜された前記キーワードのうち、有する前記属性情報の前記日時情報が示す最新の日時と最古の日時の差が所定の期間以上開いているものを選抜する第２選抜ステップをさらに含み、
前記取得ステップは、前記第２選抜ステップの処理で選抜された前記キーワードに対応する前記関連情報を前記データベースの中から取得する
ことを特徴とする請求項８に記載の情報処理方法。
【請求項１０】
前記検出ステップは、送信または受信された電子メールを前記テキスト情報として、前記電子メールの中から重要語を検出する
ことを特徴とする請求項６に記載の情報処理方法。
【請求項１１】
属性情報として日時情報および重要度を有するキーワードを含むデータベースの中から、テキスト情報に含まれる重要語に対応する前記キーワードを検索するコンピュータの制御用のプログラムであって、
テキスト情報の中から重要語を検出する検出ステップと、
前記検出ステップの処理で検出された前記重要語に対応する前記キーワードを前記データベースの中から抽出する抽出ステップと、
前記抽出ステップの処理で抽出された前記キーワードのうち、前記テキスト情報の日時情報を基点とした第１の期間内における前記重要度が、第１の閾値よりも低いものを選択する選択ステップと、
前記選択ステップの処理で選択された前記キーワードのうち、前記テキスト情報の日時情報を基点とした第２の期間内において、２回以上前記重要度が第２の閾値よりも高いものを選抜する第１選抜ステップと
を含む処理をコンピュータに実行させるプログラムが記録されていることを特徴とする記録媒体。
【手続補正３】
【補正対象書類名】明細書
【補正対象項目名】０００１
【補正方法】変更
【補正の内容】
【０００１】
【発明の属する技術分野】
本発明は、情報処理装置および方法、並びに記録媒体に関し、例えば、電子メールが送受信されたときに、当該電子メールの文面に関連する情報をデータベースの中から抽出して表示させる場合に用いて好適な情報処理装置および方法、並びに記録媒体に関する。
【手続補正４】
【補正対象書類名】明細書
【補正対象項目名】０００５
【補正方法】変更
【補正の内容】
【０００５】
【課題を解決するための手段】
本発明の情報処理装置は、テキスト情報の中から重要語を検出する検出手段と、検出手段が検出した重要語に対応するキーワードをデータベースの中から抽出する抽出手段と、抽出手段が抽出したキーワードのうち、テキスト情報の日時情報を基点とした第１の期間内における重要度が、第１の閾値よりも低いものを選択する選択手段と、選択手段が選択したキーワードのうち、テキスト情報の日時情報を基点とした第２の期間内において、２回以上重要度が第２の閾値よりも高いものを選抜する第１選抜手段とを含むことを特徴とする。
【手続補正５】
【補正対象書類名】明細書
【補正対象項目名】０００６
【補正方法】変更
【補正の内容】
【０００６】
本発明の情報処理装置は、第１選抜手段が選抜したキーワードが有する属性情報を用いて、キーワードが選抜された理由を示す理由情報を生成する生成手段と、生成手段が生成した理由情報の表示タイミングを制御する表示制御手段とをさらに含むことができる。
【手続補正６】
【補正対象書類名】明細書
【補正対象項目名】０００７
【補正方法】変更
【補正の内容】
【０００７】
前記データベースは、キーワードに関連情報を対応付けて構築されているようにすることができ、本発明の情報処理装置は、第１選抜手段が選抜したキーワードに対応する関連情報をデータベースの中から取得する取得手段をさらに含むことができる。
本発明の情報処理装置は、第１選抜手段が選抜したキーワードのうち、有する属性情報の日時情報が示す最新の日時と最古の日時の差が所定の期間以上開いているものを選抜する第２選抜手段をさらに含むことができ、前記取得手段は、第２選抜手段が選抜したキーワードに対応する関連情報をデータベースの中から取得するようにすることができる。
前記検出手段は、送信または受信された電子メールをテキスト情報として、電子メールの中から重要語を検出するようにすることができる。
【手続補正７】
【補正対象書類名】明細書
【補正対象項目名】０００８
【補正方法】変更
【補正の内容】
【０００８】
本発明の情報処理方法は、テキスト情報の中から重要語を検出する検出ステップと、
検出ステップの処理で検出された重要語に対応するキーワードをデータベースの中から抽出する抽出ステップと、抽出ステップの処理で抽出されたキーワードのうち、テキスト情報の日時情報を基点とした第１の期間内における重要度が、第１の閾値よりも低いものを選択する選択ステップと、選択ステップの処理で選択されたキーワードのうち、テキスト情報の日時情報を基点とした第２の期間内において、２回以上重要度が第２の閾値よりも高いものを選抜する第１選抜ステップとを含むことを特徴とする。
本発明の情報処理方法は、第１選抜ステップの処理で選抜されたキーワードが有する属性情報を用いて、キーワードが選抜された理由を示す理由情報を生成する生成ステップと、生成ステップの処理で生成された理由情報の表示タイミングを制御する表示制御ステップとをさらに含むことができる。
前記データベースは、キーワードに関連情報を対応付けて構築されているようにすることができ、本発明の情報処理方法は、前記第１選抜ステップの処理で選抜されたキーワードに対応する関連情報をデータベースの中から取得する取得ステップをさらに含むことができる。
本発明の情報処理方法は、第１選抜ステップの処理で選抜されたキーワードのうち、有する属性情報の日時情報が示す最新の日時と最古の日時の差が所定の期間以上開いているものを選抜する第２選抜ステップをさらに含むことができ、前記取得ステップは、第２選抜ステップの処理で選抜されたキーワードに対応する関連情報をデータベースの中から取得するようにすることができる。
前記検出ステップは、送信または受信された電子メールをテキスト情報として、電子メールの中から重要語を検出するようにすることができる。
【手続補正８】
【補正対象書類名】明細書
【補正対象項目名】０００９
【補正方法】変更
【補正の内容】
【０００９】
本発明の記録媒体は、テキスト情報の中から重要語を検出する検出ステップと、検出ステップの処理で検出された重要語に対応するキーワードをデータベースの中から抽出する抽出ステップと、抽出ステップの処理で抽出されたキーワードのうち、テキスト情報の日時情報を基点とした第１の期間内における重要度が、第１の閾値よりも低いものを選択する選択ステップと、選択ステップの処理で選択されたキーワードのうち、テキスト情報の日時情報を基点とした第２の期間内において、２回以上重要度が第２の閾値よりも高いものを選抜する第１選抜ステップとを含む処理をコンピュータに実行させるプログラムが記録されていることを特徴とする。
【手続補正９】
【補正対象書類名】明細書
【補正対象項目名】００１０
【補正方法】変更
【補正の内容】
【００１０】
本発明の情報処理装置および方法、並びに記録媒体のプログラムにおいては、検出された重要語に対応するキーワードがデータベースの中から抽出され、抽出されたキーワードのうち、テキスト情報の日時情報を基点とした第１の期間内における重要度が、第１の閾値よりも低いものが選択され、選択されたキーワードのうち、テキスト情報の日時情報を基点とした第２の期間内において、２回以上重要度が第２の閾値よりも高いものが選抜される。
【手続補正１０】
【補正対象書類名】明細書
【補正対象項目名】００９８
【補正方法】変更
【補正の内容】
【００９８】
【発明の効果】
以上のように、本発明によれば、ユーザが興味をもっていると思われる情報、あるいは、必要としていると思われる情報をデータベースの中から検索し、且つ、新しすぎる情報や古すぎる情報を除去することが可能となる。